(57)【特許請求の範囲】
【請求項１】
発電装置と、この発電装置の排熱を利用して貯湯タンク内の湯水を加熱する貯湯給湯装置とを備えたコージェネレーションシステムであって、貯湯タンク内の温水温度が一定温度以下の状態が一定時間以上継続したことを条件として貯湯タンク内の湯水を加熱殺菌するコージェネレーションシステムにおいて、
使用者が在宅しているか否かを判定する在宅判定手段と、
給湯の使用量を学習・記憶して時間帯毎の給湯使用予測を行う予測手段とを備え、
前記貯湯タンクの加熱殺菌運転を行う際は、前記在宅判定手段によって使用者が在宅であると判定されているとともに、前記予測手段によって給湯使用が予測される時間帯の一定時間前に加熱殺菌が完了するように制御されることを特徴とするコージェネレーションシステム。
【請求項２】
前記給湯使用が予測される時間帯は、単位時間当たりの給湯使用量が設定量以上となると予測される時間帯であることを特徴とする請求項１に記載のコージェネレーションシステム。
【発明の詳細な説明】
【技術分野】
【０００１】
本発明はコージェネレーションシステムに関し、特に貯湯タンク内の湯水が一定時間以上低温のまま継続した使用者不在状態において、使用者が帰宅したことを判定した後、給湯使用が予測される時間帯の一定時間前に貯湯タンク内の湯水の加熱殺菌を終了させる機能を備えたものに関する。
【背景技術】
【０００２】
従来から、内部熱源機や外部熱源機等の排熱を回収して再利用することで総合エネルギー効率を高めたコージェネレーションシステムが実用に供されている。このコージェネレーションシステムは、熱源機として燃料電池やガスエンジン等を組み合わせた発電装置の排熱を回収する種々のタイプのものが実用化されている。
【０００３】
例えば、燃料電池を備えたコージェネレーションシステムは、空気と改質燃料ガス（水素含有ガス）との酸化還元反応によって化学エネルギーを電気エネルギーに変換することで電力を発生させる燃料電池発電装置、この燃料電池発電装置による発電の際に副次的に発生する排気ガスの排熱を湯水として回収して貯湯する貯湯給湯装置、燃料電池発電装置と貯湯給湯装置とを接続する排熱回収循環回路等から構成されている。
【０００４】
ところで、貯湯給湯装置には湯水を貯湯するための貯湯タンクが設けられているが、貯湯タンク内の湯水が長時間使用されないで、低温となった状態で長時間放置されると、貯湯タンク内にレジオネラ菌等の人体に有害な細菌が繁殖するので、貯湯タンク内の湯水をそのまま使用することが出来ず加熱殺菌処理や貯湯タンク内の湯水の入替処理が必要となる。
【０００５】
そこで、上記の問題を解決する為に、例えば、特許文献１の貯湯式給湯システムにおいては、貯湯槽内の湯水が長期間使用されなかった場合に、使用者が不在であると判定し、その後、使用者が帰宅したことを検知した際に１回だけ貯湯槽内の湯水の殺菌処理を行うように制御する技術が開示されている。
【先行技術文献】
【特許文献】
【０００６】
【特許文献１】特許４２５６８５７号公報
【発明の概要】
【発明が解決しようとする課題】
【０００７】
特許文献１の貯湯式給湯システムにおいて、貯湯槽内の湯水の殺菌処理は使用者が長期間不在にした後、使用者が帰宅した際に１回だけ行うように制御されるが、殺菌処理を開始するタイミングについては考慮されていない。そして、殺菌処理中の貯湯槽内の湯水の使用が禁止されている間に給湯要求があった場合は、水道水を補助熱源機のバーナで加熱して給湯される。
【０００８】
しかし、殺菌処理の終了前に給湯使用量がピークになる時間帯を迎えた場合、補助熱源機で加熱しなければならない水量が増えるばかりでなく、その後殺菌処理で高温となった貯湯槽内の湯水が無駄になるため、システム効率が悪くなるという問題がある。
【０００９】
一方、コージェネレーションシステムにおいては、貯湯タンク内の湯水によって排熱回収を行うとともに、発電部の冷却等も行っているため、貯湯タンク内を加熱殺菌すると、貯湯タンク内が満蓄状態となって、発電の継続が困難になるという問題もある。
【００１０】
本発明の目的は、貯湯タンク内の湯水が一定時間以上低温のまま継続した使用者不在状態において、使用者が在宅していることを判定した後、給湯使用が予測される時間帯の一定時間前に貯湯タンク内の湯水の加熱殺菌を終了させる機能を備えたコージェネレーションシステムを提供することである。
【課題を解決するための手段】
【００１１】
請求項１のコージェネレーションシステムは、発電装置と、この発電装置の排熱を利用して貯湯タンク内の湯水を加熱する貯湯給湯装置とを備えたコージェネレーションシステムであって、貯湯タンク内の温水温度が一定温度以下の状態が一定時間以上継続したことを条件として貯湯タンク内の湯水を加熱殺菌するコージェネレーションシステムにおいて、使用者が在宅しているか否かを判定する在宅判定手段と、給湯の使用量を学習・記憶して時間帯毎の給湯使用予測を行う予測手段とを備え、前記貯湯タンクの加熱殺菌運転を行う際は、前記在宅判定手段によって使用者が在宅であると判定されているとともに、前記予測手段によって給湯使用が予測される時間帯の一定時間前に加熱殺菌が完了するように制御されることを特徴としている。
【００１２】
請求項２のコージェネレーションシステムは、請求項１の発明において、前記給湯使用が予測される時間帯は、単位時間当たりの給湯使用量が設定量以上となると予測される時間帯であることを特徴としている。
【発明の効果】
【００１３】
請求項１の発明によれば、在宅判定手段によって、一定時間以上不在であった使用者の帰宅を判定することができ、予測手段によって、給湯の使用量を学習・記憶して時間帯毎の給湯使用予測し、使用者の帰宅後、給湯使用が予測される時間帯の一定時間前に加熱殺菌が完了するように制御して貯湯タンクの加熱殺菌運転を行うことができるので、加熱殺菌の為に加熱された貯湯タンク内の湯水をその後効率的に給湯に使用することができ、貯湯タンクの満蓄状態が解消され発電の継続が容易になる。
【００１４】
請求項２の発明によれば、予測手段によって給湯使用が予測される時間帯は、単位時間当たりの給湯使用量が設定量以上となると予測される時間帯としたので、例えば設定量を５０リットルとした場合、浴槽への湯張りで約１００〜２００リットル等の給湯使用が予測される時間帯の一定時間前には貯湯タンク内の湯水の加熱殺菌が完了しているため、加熱殺菌のために約６０〜７０℃に加熱された貯湯タンク内の湯水をその後多量の給湯使用が予測されるので貯湯タンクの満蓄状態を早期かつ効率的に解消することができる。
【図面の簡単な説明】
【００１５】
【図１】本発明の実施例１に係るコージェネレーションシステムの概略構成図である。
【図２】燃料電池発電装置の概略構成図である。
【図３】貯湯給湯装置の概略構成図である。
【図４】本発明の実施例に係る加熱殺菌処理を行う制御のフローチャートである。
【図５】１日の時間帯毎における給湯使用量の変化を示すグラフである。
【図６】コージェネレーションシステムを一般住宅に適用した概略構成図である。
【発明を実施するための形態】
【００１６】
以下、本発明を実施するための形態について実施例に基づいて説明する。
【実施例１】
【００１７】
先ず、本発明のコージェネレーションシステム１の全体構成について説明する。
図１に示すように、コージェネレーションシステム１は、発電を行なう燃料電池発電装置２と、湯水を貯湯する貯湯給湯装置３と、燃料電池発電装置２と貯湯給湯装置３との間に湯水を循環させて燃料電池発電装置２の排気ガスから排熱を回収する排熱回収循環回路１５等から構成されている。
【００１８】
次に、燃料電池発電装置２について簡単に説明する。
図２に示すように、燃料電池発電装置２は、貯湯給湯装置３の外部熱源機であり、燃料電池発電モジュール２ａ、この燃料電池発電モジュール２ａに空気、燃料ガス、純水等を供給する為の各種の供給装置２ｂ〜２ｅ、発電後の排気ガスを排出する為の排出通路２ｆ、排気ガスと湯水との間で熱交換を行う排熱回収熱交換器２ｇ、排熱回収熱交換器２ｇで生成された凝縮水を回収して純水に浄化する水処理装置２ｈ、燃料電池発電モジュール２ａの出力を調整する為のインバータ２ｉ等を備え、これらの各種機器がケース部材２ｊに一体的に収納されて構成されている。
【００１９】
燃料電池発電モジュール２ａにて発電された直流電力は、インバータ２ｉを介して交流電力に変換されて外部に出力される。排出通路２ｆの途中部には、排熱回収熱交換器２ｇが設置され、燃料電池発電モジュール２ａから排出される排気ガスは、排出通路２ｆを通り、排熱回収熱交換器２ｇにて排熱回収循環回路１５を循環する湯水との間で熱交換され温度が低下した後に外部に排出される。尚、燃料電池発電装置２は、停電時に電力系統から遮断して発電を継続する自立発電運転機能を備えている。
【００２０】
次に、排熱回収循環回路１５について、図２と図３を用いて説明する。
排熱回収循環回路１５は、貯湯タンク４と燃料電池発電装置２との間に湯水を循環させて燃料電池発電装置２の排熱を回収する閉回路であり、低温側循環通路部１５ａ、高温側循環通路部１５ｂ等を有し、低温側循環通路部１５ａの上流端が貯湯タンク４の下部に接続され、高温側循環通路部１５ｂの下流端が貯湯タンク４の上部に接続されている。
【００２１】
低温側循環通路部１５ａから高温側循環通路部１５ｂに接続する分岐通路部１５ｃが分岐され、この分岐部には、貯湯タンク４を含めた循環回路と貯湯タンク４をバイパスする循環回路とを択一的に選択可能な三方弁３３が設置されている。燃料電池発電装置２の内部において、低温側循環通路部１５ａには、循環ポンプ４７が設置され、低温側循環通路部１５ａと高温側循環通路部１５ｂとの間には、燃料電池発電装置２の排熱回収熱交換器２ｇが設置されている。
【００２２】
次に、貯湯給湯装置３について簡単に説明する。
図３に示すように、貯湯給湯装置３は、貯湯、給湯、浴槽への給湯及び浴槽の追焚き、床暖房パネル等の温水暖房端末への温水の供給等の機能を有するものであり、貯湯タンク４、補助熱源機５、風呂熱利用熱交換器６、暖房熱利用熱交換器７、給水系通路８、給湯系通路９、出湯通路１１、風呂追焚回路１２、温水暖房回路１３、熱利用循環回路１４、排熱回収循環回路１５、制御ユニット４５、貯湯給湯装置の各種設定を行う操作リモコン４６等を備え、これら大部分は外装ケース１６内に一体的に収納されている。外装ケース１６には、外気温度を検出可能な外気温度検出センサ１６ａが設置されている。
【００２３】
次に、貯湯タンク４について説明する。
貯湯タンク４は、燃料電池発電装置２で加熱された高温の湯水（例えば、６５〜９０℃）を貯留可能な密閉タンクで構成され、貯留された湯水の放熱を防ぐ為にタンク周囲は断熱材で覆われている。貯湯タンク４の外周部には、下側から上側に向かって等間隔に複数の湯水温度検出センサ４ａ〜４ｄが順に設けられ、これら複数の湯水温度検出センサ４ａ〜４ｄにより貯湯タンク４内の複数の貯留層の湯水温度が検出される。
【００２４】
次に、補助熱源機５について説明する。
補助熱源機５は、バーナや熱交換器等を内蔵した公知のガス給湯器で構成されている。補助熱源機５は、貯湯タンク４内の湯水温度が低下した場合、貯湯タンク内の湯水の給湯が停止されている場合等の特別な場合に限り、制御ユニット４５から指令が送信されて燃焼作動され、湯水を加熱するものである。
【００２５】
次に、給水系通路８について説明する。
給水系通路８は、上水源から低温の上水を貯湯タンク４等に供給するものであり、上流給水通路部８ａ、中間給水通路部８ｂ、下流給水通路部８ｃを有し、上流給水通路部８ａの上流端が上水源に接続され、下流給水通路部８ｃの下流端が貯湯タンク４の下部に接続されている。上流給水通路部８ａには、減圧弁８ｄが設置され、中間給水通路部８ｂには、逆止弁８ｅが設置されている。
【００２６】
上流給水通路部８ａと中間給水通路部８ｂとの間から給湯系通路９に接続するバイパス通路部１７が分岐されている。バイパス通路部１７には、逆止弁１７ａが設置されている。中間給水通路部８ｂと下流給水通路部８ｃとの間から熱利用循環回路１４に接続するバイパス通路部１８が分岐されている。この分岐部には、蓄熱切換弁１９が設置されている。このバイパス通路部１８により、低温の上水を熱利用循環回路１４に供給することができ、また逆に、熱利用循環回路１４から湯水を貯湯タンク４に戻すことができる。
【００２７】
次に、給湯系通路９について説明する。
給湯系通路９は、貯湯タンク４に貯湯された湯水を風呂等の所望の給湯先に供給するものであり、給湯栓に接続される給湯通路２１、貯湯タンク４の上部から給湯通路２１に接続されるタンク出湯通路２２、このタンク出湯通路２２から分岐され燃焼式の補助熱源機５に接続される補助加熱通路２３、補助熱源機５から給湯通路２１に接続される補助熱源機出湯通路２４等を有している。
【００２８】
給湯通路２１は、高温の湯水が流れる上流給湯通路部２１ａ、混合湯水が流れる中間給湯通路部２１ｂ及び下流給湯通路部２１ｃを有し、上流給湯通路部２１ａの上流端がタンク出湯通路２２に接続され、下流給湯通路部２１ｃの下流端が給湯栓に接続されている。
【００２９】
上流給湯通路部２１ａと中間給湯通路部２１ｂとの間に混合弁２５が設置されている。この混合弁２５に給水系通路８から分岐したバイパス通路部１７が接続されている。混合弁２５は、出湯温度が指令温度になるように低温の上水と高温の湯水の混合比を制御するものである。中間給湯通路部２１ｂには、流量センサ２１ｄと出湯水比例弁２６が設置されている。バイパス通路部１７から分岐した分岐通路部２７が中間給湯通路部２１ｂに接続され、分岐通路部２７には、高温出湯回避電磁弁２８が設置されている。
【００３０】
タンク出湯通路２２は、上流出湯通路部２２ａ、下流出湯通路部２２ｂを有し、上流出湯通路部２２ａの上流端が貯湯タンク４の上部に接続され、下流出湯通路部２２ｂの下流端が給湯通路２１に接続されている。上流出湯通路部２２ａと下流出湯通路部２２ｂとの間から補助加熱通路２３が分岐されている。
【００３１】
補助加熱通路２３は、上流加熱通路部２３ａ、下流加熱通路部２３ｂを有し、上流加熱通路部２３ａの上流端がタンク出湯通路２２に接続され、下流加熱通路部２３ｂの下流端が補助熱源機５の導入口に接続されている。上流加熱通路部２３ａには、逆止弁２３ｃが設置され、下流加熱通路部２３ｂには、圧送ポンプ２９と流量センサ２３ｄが設置されている。
【００３２】
上流加熱通路部２３ａと下流加熱通路部２３ｂとの間にタンク出湯通路２２と補助加熱通路２３とを切換え可能な三方弁３１が設置されている。三方弁３１には、熱利用循環回路１４の湯水戻り側通路部１４ｄも接続されている。この三方弁３１は、上流加熱通路部２３ａと下流加熱通路部２３ｂとの間の接続・遮断及び下流加熱通路部２３ｂと湯水戻り側通路部１４ｄとの間の接続・遮断を切換え可能なものであり、上流加熱通路部２３ａと下流加熱通路部２３ｂと湯水戻り側通路部１４ｄの全ての通路部を接続可能である。
【００３３】
補助熱源機出湯通路２４は、上流補助出湯通路部２４ａ、下流補助出湯通路部２４ｂを有し、上流補助出湯通路部２４ａの上流端が補助熱源機５の導出口に接続され、下流補助出湯通路部２４ｂの下流端が給湯通路２１の上流端に接続されている。上流補助出湯通路部２４ａと下流補助出湯通路部２４ｂとの間から熱利用循環回路１４の湯水往き側通路部１４ａが分岐されている。下流補助出湯通路部２４ｂには、タンク水比例弁３２が設置されている。
【００３４】
次に、制御ユニット４５について説明する。
貯湯給湯装置３は、制御ユニット４５によって制御される。各種のセンサの検出信号が制御ユニット４５に送信され、この制御ユニット４５により、貯湯給湯装置３の動作、各種のポンプの作動・停止、各種の弁の開閉状態の切り換え及び開度調整等を制御し、各種運転（給湯運転、湯張り運転、追焚き運転、高温差し湯運転、暖房運転、通常発電運転時の凍結防止運転、自立発電運転時の凍結防止運転、排熱回収運転等）を実行する。
【００３５】
制御ユニット４５は、ユーザーが操作可能な操作リモコン４６との間でデータ通信可能であり、操作リモコン４６のスイッチ操作により各種の運転が設定されると、その指令信号が操作リモコン４６から制御ユニット４５に送信される。例えば、操作リモコン４６のスイッチ操作により目標給湯設定温度が設定されると、その目標給湯設定温度データが操作リモコン４６から制御ユニット４５に送信される。
【００３６】
さらに、制御ユニット４５のＲＡＭには、図５に示すような１日の時間毎の給湯使用量に関する情報を「給湯使用量記録データ」として約２週間分記憶されており、この蓄積された約２週間分の「給湯使用量記録データ」を基に時間毎の平均値を割り出して、「給湯使用予測データ」として日々更新しつつＲＡＭに記憶されている。尚、「給湯使用量記録データ」の取得、記憶する処理は「予測手段」の一部を構成している。この「給湯使用予測データ」を基に給湯使用量等の予測を行い、これに合わせて自動で貯湯運転等を行うように制御している。
【００３７】
以下、制御ユニット４５で制御される本発明のコージェネレーションシステム１における貯湯タンク内の湯水の加熱殺菌運転制御について、図４のフローチャートに基づいて説明する。尚、図中の符号Ｓｉ（ｉ=１，２，・・）は各ステップを示す。この加熱殺菌運転制御の制御プログラムは、制御ユニット４５に予め格納されている。
【００３８】
図４のフローチャートにおいて、この制御が開始されると、最初にＳ１において、貯湯タンク４内の湯水温度が一定以下の状態が一定時間以上継続したか否かを判定する。即ち、貯湯タンク４内の湯水が長時間使用されていない使用者が不在の状態を判定する。ここで、「湯水温度が一定以下の状態」とは、貯湯タンク４内で最も高温な状態である湯水温度検出センサ４ｄで検出される湯水温度が４０℃以下の状態であり、「一定時間」とは例えば１００時間が設定される。
【００３９】
使用者が長時間不在で、貯湯タンク４内温度が４０℃以下の状態が１００時間以上継続した場合、Ｓ１の判定がＹｅｓとなりＳ３に移行して、貯湯タンク４内の湯水に細菌が繁殖している可能性があるとして、「貯湯タンク４からの給湯停止モード」となる。一方、Ｓ１の判定がＮｏのうちは、Ｓ２に移行して、貯湯タンク４からの給湯が可能と判定されて、通常運転モードとなりリターンしてＳ１を繰り返す。
【００４０】
次に、Ｓ４において、使用者が在宅しているか否かを判定する。
図６に示すように、一般住宅Ｈには、漏電遮断器や配線用遮断器等を備えた分電盤４０が設置され、この分電盤４０に系統電源４１から電源線４１ａを介して商用電力が供給されている。電源線４１ａには、家庭内の使用電力を測定する為の電力量計５０が設置されている。分電盤４０には、一般住宅Ｈ内外に設置された複数のコンセント５１が配線５２を介して夫々接続されている。
【００４１】
燃料電池発電装置２は、燃料電池発電モジュール２ａ、この燃料電池発電モジュール２ａに空気、燃料ガス、純水等を供給する為の各種の供給装置２ｂ〜２ｅ、燃料電池発電モジュール２ａの出力を調整する為のパワーコンディショナユニット４３、これら各種装置を制御する為の制御ユニット４４等を備えている。
【００４２】
使用者が在宅しているか否かの判定は、分電盤４０に設置された電力量計５０から電力使用量の検知によって行う。即ち、使用者が在宅の際、電気が使用されるため、電力量計に何らかの変化が生じるため、これを検知することで使用者の在宅を判定することができる。電力量計５０の数値に変化が生じた場合Ｓ４の判定がＹｅｓとなりＳ５に移行して時間帯毎の給湯使用予測処理が行われる。電力量計５０の数値に変化が生じない場合はＳ４の判定がＮｏのうちはＳ４を繰り返す。尚、Ｓ４が「在宅判定手段」に相当する。
【００４３】
次に、Ｓ５において、時間帯毎の給湯使用予測処理を行い、給湯使用が予測される時間帯の予測が行われてＳ６に移行する。このＳ５では、ＲＡＭに記憶された「給湯使用予測データ」を読み出す処理が行われ、単位時間当たりの給湯使用量が設定量以上となる時間帯の予測が行われる。ここで、「設定量」として「１時間毎の給湯使用量が５０リットル」と設定されている場合、図５に示す１日の「給湯使用予測データ」から、設定量以上の給湯使用が予測される時間帯として「２０：００」が算出される。尚、Ｓ５が「予測手段」の一部に相当する。
【００４４】
次に、Ｓ６において、加熱殺菌開始時刻算出処理を行い、貯湯タンク４内の湯水の加熱殺菌を開始する時刻を算出してＳ７に移行する。このＳ６では、Ｓ５で算出された「２０：００」の情報を基に、この時間帯の一定時間前に加熱殺菌が完了する時刻を算出し、貯湯タンク４内の湯水の加熱殺菌に要する時間から逆算して加熱殺菌を開始する時刻が算出される。
【００４５】
ここで、「一定時間前」とは、例えば「１時間前」のことであり、Ｓ５で算出された「２０：００」から１時間前である「１９：００」が加熱殺菌を完了する時刻として算出される。貯湯タンク４内の湯水の加熱殺菌に要する時間は貯湯タンク４の容量によって変動するが、１５０Ｌタンクを燃料電池発電装置２で加熱殺菌する場合２〜３時間を要するため、「加熱殺菌開始時刻」は「１６：００」と算出される。
【００４６】
次に、Ｓ７において、上記「加熱殺菌開始時刻」になったか否かを判定する。開始時刻「１６：００」となった場合Ｓ７の判定がＹｅｓとなりＳ８に移行して貯湯タンク４内の加熱殺菌が開始される。「１６：００」になるまでの時間帯はＳ７の判定がＮｏとなりＳ７を繰り返す。
【００４７】
加熱殺菌が開始されると貯湯タンク４内の湯水を約６０〜７０℃に加熱するために、低温側循環通路部１５ａ、排熱回収熱交換器２ｇ、高温側循環通路部１５ｂを介して湯水を循環させて燃料電池発電装置２において湯水を加熱し、貯湯タンク４内の上部から高温となった湯水が戻されて貯湯され、貯湯タンク４内で最も低温である湯水温度検出センサ４ａで検出される湯水温度が６０℃以上となるまで加熱される。
【００４８】
貯湯タンク４内の加熱殺菌が開始されて終了するまでの間に給湯指示があった場合（Ｓ９：Ｙｅｓ）はＳ１０に移行して補助熱源機５による給湯モードとなる。この給湯モードでは、給水系通路８、熱利用循環回路１４、補助加熱通路２３を介して補助熱源機５へ上水が供給され、補助熱源機５で加熱された湯水は、補助熱源機出湯通路２４、給湯通路２１を介して給湯される。
【００４９】
補助熱源機５による給湯モード中は、給湯指示が解除になったことが判定されるとＳ１２に移行するが（Ｓ１１；Ｙｅｓ）、それまでは補助熱源機５による給湯が継続され（Ｓ１１；Ｎｏ）、Ｓ１０〜Ｓ１１が繰り返される。
【００５０】
貯湯タンク４内の加熱殺菌が開始されて終了するまでの間に給湯指示がない場合（Ｓ９：Ｎｏ）や給湯指示が解除された場合（Ｓ１１；Ｙｅｓ）は、Ｓ１２に移行して、貯湯タンク４内の加熱殺菌が終了したか否かを判定する。加熱殺菌が終了していない場合はＳ１２の判定がＮｏとなりＳ９に移行し「貯湯タンク４からの給湯停止モード」の状態が維持されて、Ｓ９〜Ｓ１２が繰り返される。加熱殺菌が終了した場合はＳ１２の判定がＹｅｓとなりＳ１３に移行して「貯湯タンク４からの給湯停止モード」が解除されて、加熱殺菌運転を終了して一連の制御を終了する。
【００５１】
次に、本発明のコージェネレーションシステム１の作用及び効果について説明する。
貯湯給湯装置３が備えた制御手段４５は、在宅判定手段によって、使用者の在宅を判定することができ（Ｓ４）、予測手段によって、給湯の使用量を学習・記憶して時間帯毎の給湯使用予測し（Ｓ５）、使用者が在宅中かつ設定量以上の給湯使用が予測される時間帯の一定時間前に加熱殺菌が完了するように制御（Ｓ６）して貯湯タンク４内の湯水の加熱殺菌運転を行うことができるので、加熱殺菌の為に加熱された貯湯タンク４内の湯水をその後効率的に給湯に使用することができ、貯湯タンクの満蓄状態が解消され発電の継続が容易になる。
【００５２】
また、予測手段によって給湯使用が予測される時間帯は、単位時間当たりの給湯使用量が設定量以上と予測される時間帯としたので、例えば設定量を５０リットルとした場合、浴槽への湯張りで約１００〜２００リットル等の給湯使用が予測される時間帯の一定時間前には貯湯タンク４内の湯水の加熱殺菌が完了しているため、加熱殺菌のために約６０〜７０℃に加熱された貯湯タンク４内の湯水をその後多量の給湯使用が予測されるので、貯湯タンク４の満蓄状態を早期かつ効率的に解消することができる。
【００５３】
次に、前記実施例を部分的に変更した形態について説明する。
［１］前記実施例において、発電装置として燃料電池発電装置２について説明したが、これに限定する必要はなく、ガスエンジン発電装置等を採用しても良いし、これら以外にも種々の公知なものを採用可能である。
【００５４】
［２］また、前記実施例において使用者が在宅しているか否かを判定する「在宅判定手段」（Ｓ４）として、使用者の在宅を電力量計５０の数値の変化で検知すると説明したが、これに限定されるものではなく、使用者が給湯機器のスイッチをＯＮにしたことによる検知や、人体感応センサによる検知等、採用可能である。
【００５５】
［３］前記実施例において、加熱殺菌を行う際、燃料電池発電装置２において湯水を加熱させる構成で説明したが、これに限定されるものではなく、補助熱源機５において加熱させて貯湯タンク４内に戻す構成も採用可能である。
［４］その他、当業者であれば、本発明の趣旨を逸脱することなく、前記実施例に種々の変更を付加した形態で実施可能であり、本発明はそのような変更形態を包含するものである。
【符号の説明】
【００５６】
１      コージェネレーションシステム
２      燃料電池発電装置
３      貯湯給湯装置
４      貯湯タンク
４５    制御ユニット
【図１】
0006551062.tif 000002
【図２】
0006551062.tif 000003
【図３】
0006551062.tif 000004
【図４】
0006551062.tif 000005
【図５】
0006551062.tif 000006
【図６】
0006551062.tif 000007